(57)【特許請求の範囲】
【請求項１】
視覚的な出力を行なうための出力部を有する電話機であって、
発信元の番号が予め登録されている番号であるか否かの区別を前記出力部で報知するように、前記出力部を制御するための出力制御手段と、
着信の後に電話回線を捕捉して発信元に対して予め登録された音声メッセージを出力し、前記発信元からの音声を出力するための応答手段と、
前記発信元との通話の開始を指示するユーザ操作を受け付けるための第１の操作手段とを備え、
前記応答手段は、前記音声メッセージの出力の開始の後に前記第１の操作手段にて前記ユーザ操作を受け付けると、前記音声メッセージの出力を終了し、
前記応答手段での前記音声メッセージの出力の開始の後に前記第１の操作手段にて前記ユーザ操作を受け付けた場合に、前記出力制御手段は、少なくとも前記第１の操作手段にて前記ユーザ操作を受け付けるよりも後まで継続して前記区別を前記出力部で報知し、
前記電話機は、それぞれが、前記出力部、前記応答手段、および前記第１の操作手段を有する親機と１台以上の子機とを含み、
前記親機と前記子機とのそれぞれは、前記応答手段での前記音声メッセージの出力の開始を指示するユーザ操作を受け付けるための第２の操作手段をさらに含み、
前記応答手段は、前記親機と前記子機とのうちの前記第２の操作手段によって前記ユーザ操作を受け付けた装置で前記ユーザ操作に従って前記音声メッセージを出力して前記発信元からの音声を出力し、
前記第２の操作手段によって前記ユーザ操作を受け付けると、前記出力制御手段は、前記親機と前記子機とのうちの前記第２の操作手段によって前記ユーザ操作を受け付けた装置で少なくとも前記第１の操作手段にて前記ユーザ操作を受け付けるよりも後まで継続して前記区別を前記出力部で報知し、前記第２の操作手段によって前記ユーザ操作を受け付けた装置以外の装置では前記区別の前記出力部での報知を終了する、電話機。
【請求項２】
前記出力制御手段は、前記第１の操作手段にて前記ユーザ操作を受け付けると、前記出力部での前記区別の報知を終了する、請求項１に記載の電話機。
【請求項３】
電話機による報知方法であって、
発信元からの着信があると、前記発信元の番号が前記電話機に予め登録されている番号であるか否かを判断するステップと、
前記発信元の番号が前記電話機に予め登録されている番号であるか否かの区別の、前記電話機に搭載された出力部での報知を開始するステップと、
着信の後に電話回線を捕捉して発信元に対して予め登録された音声メッセージの出力を開始するとともに前記発信元からの音声を出力するステップと、
前記音声メッセージの出力の開始の後に前記発信元との通話の開始を指示する第１のユーザ操作を受け付けると、前記音声メッセージの出力を終了するステップと、
前記音声メッセージの出力の開始の後に前記第１のユーザ操作を受け付けると、少なくとも前記第１のユーザ操作を受け付けるよりも後まで継続して前記区別を報知するステップとを備え、
前記電話機は、親機と子機とを含み、
前記報知方法は、前記親機と前記子機とのうちの何れかの装置が、前記音声メッセージの出力の開始を指示する第２のユーザ操作を受け付けるステップをさらに備え、
前記音声メッセージの出力を開始するとともに前記発信元からの音声を出力するステップでは、前記親機と前記子機とのうちの前記第２のユーザ操作を受け付けた装置が、前記第２のユーザ操作に従って前記音声メッセージの出力を開始するとともに前記発信元からの音声を出力し、
前記区別を報知するステップでは、前記親機と前記子機とのうちの何れかの装置が前記第２のユーザ操作を受け付けると、前記親機と前記子機とのうちの前記第２のユーザ操作を受け付けた装置で少なくとも前記第１のユーザ操作を受け付けるよりも後まで継続して前記区別を報知し、
前記報知方法は、前記親機と前記子機とのうちの前記第２のユーザ操作を受け付けた装置以外の装置が前記区別の報知を終了するステップをさらに備える、報知方法。
【請求項４】
電話機に搭載されたコンピュータに報知処理を実行させる報知プログラムであって、
前記報知プログラムは、
発信元からの着信があると、前記発信元の番号が前記電話機に予め登録されている番号であるか否かを判断するステップと、
前記発信元の番号が前記電話機に予め登録されている番号であるか否かの区別の、前記電話機に搭載された出力部での報知を、前記電話機に開始させるステップと、
着信の後に電話回線を捕捉して発信元に対して予め登録された音声メッセージの前記電話機からの出力を開始するとともに前記発信元からの音声を前記電話機から出力させるステップと、
前記音声メッセージの出力の開始の後に前記発信元との通話の開始を指示する第１のユーザ操作を受け付けると、前記音声メッセージの出力を終了するステップと、
前記音声メッセージの出力の開始の後に前記第１のユーザ操作を受け付けると、少なくとも前記第１のユーザ操作を受け付けるよりも後まで継続して前記区別を報知するステップとを、前記コンピュータに実行させ、
前記電話機は、親機と子機とを含み、
前記報知プログラムは、前記親機と前記子機とのうちの何れかの装置が前記音声メッセージの出力の開始を指示する第２のユーザ操作を受け付けるステップを、前記コンピュータにさらに実行させ、
前記音声メッセージの出力を開始するとともに前記発信元からの音声を出力するステップでは、前記親機と前記子機とのうちの前記第２のユーザ操作を受け付けた装置が、前記第２のユーザ操作に従って前記音声メッセージの出力を開始するとともに前記発信元からの音声を出力し、
前記区別を報知するステップでは、前記親機と前記子機とのうちの何れかの装置が前記第２のユーザ操作を受け付けると、前記親機と前記子機とのうちの前記第２のユーザ操作を受け付けた装置で少なくとも前記第１のユーザ操作を受け付けるよりも後まで継続して前記区別を報知し、
前記報知プログラムは、前記親機と前記子機とのうちの前記第２のユーザ操作を受け付けた装置以外の装置が前記区別の報知を終了するステップを、前記コンピュータにさらに実行させる、報知プログラム。
【発明の詳細な説明】
【技術分野】
【０００１】
この発明は電話機、報知方法、および報知プログラムに関し、特に、発信元を報知する機能を有する電話機、該通信装置での報知方法、および報知プログラムに関する。
【背景技術】
【０００２】
電話機や、電話機能を搭載したファクシミリ送受信機のユーザは、通話を開始する前に、安全な発信元からの発信であるか否かの確認を要望する場合がある。
【０００３】
上記の要望に応える機能の１つとして、発信元をディスプレイなどで報知する機能がある。発信元を報知する機能には、さらに、着信音の鳴動中に、発信元の電話番号が電話帳などのメモリに予め登録されている番号であるか否かや、電話番号を非通知で発信しているか否かなどの安全度合を区別して着信を報知する機能がある。この機能を、以降の説明では「区別報知」機能とも称する。区別報知機能は、たとえば、電話帳などに登録されている電話番号からの着信と、登録されていない番号からの着信と、電話番号が非通知である着信とで、着信音の鳴動中に異なる色のランプを点灯させる。
【０００４】
また、上記の要望に応える機能の１つとして、ユーザが通話を開始する前に、自動またはユーザ操作に従って回線を捕捉し、発信元に対して名前を通知するように促す機能がある。発信元の発した名前等の音声は電話機から出力され、ユーザはその音声を聞いてから通話を開始または通話を拒否することができる。以降の説明では、ユーザ操作に従って回線を捕捉して発信元に対して名前を通知するように促す機能を「手動応答」機能、自動で回線を捕捉して発信元に対して名前を通知するように促す機能を「自動応答」機能、とも称する。
【０００５】
さらに、上記の要望に応える機能の１つとして自動応答機能または手動応答機能と区別報知機能とを組み合わせた機能もある。
【０００６】
なお、特開昭６４−７７４９号公報（特許文献１）や特開２００５−２６９２５５号公報（特許文献２）は、複数色のＬＥＤ（Light  Emitting  Diode）を搭載した電話機を開示している。
【０００７】
区別報知機能における報知は、通常、当該回線が捕捉されるまで継続されて、捕捉されると終了する。
【０００８】
区別報知機能を手動応答機能と組み合わせる場合、ユーザは、電話帳などに登録されている電話番号からの着信でないとの報知を確認してから、規定されたボタンを押すなどの発信元に名前の通知を促すための操作を行なう。そのため、区別報知機能における報知が回線の捕捉によって終了しても、ユーザは上記操作に先立って当該報知を確認している。
【先行技術文献】
【特許文献】
【０００９】
【特許文献１】特開昭６４−７７４９号公報
【特許文献２】特開２００５−２６９２５５号公報
【発明の概要】
【発明が解決しようとする課題】
【００１０】
しかしながら、区別報知機能を自動応答機能と組み合わせる場合、ユーザが区別報知機能における報知を確認するよりも以前に自動で回線が捕捉され、当該報知が終了してしまう場合がある。その場合、ユーザは、電話機が発信元に対して名前を通知するように促している最中に、当該番号が電話帳などに登録されている電話番号か否かを確認することなく通話を開始してしまう場合もある。そのため、このような仕組みでは、通話を開始する前に安全な発信元からの発信であるか否かを確認したいというユーザの要望に確実に応じることができない場合がある。
【００１１】
また、上記のように区別報知機能を手動応答機能と組み合わせる場合であっても、手動応答機能によって回線が捕捉された時点で区別報知機能における報知が終了すると、電話機が発信元に対して名前を通知するように促している間にユーザは発信元が電話帳などに登録されている電話番号であったか否かを忘れてしまう場合もある。そのため、このような場合にも、通話を開始する前に安全な発信元からの発信であるか否かを確認したいというユーザの要望に確実に応じることができない場合がある。
【００１２】
本開示のある局面における目的は、発信元の安全度合を区別して着信を報知する機能の機能性を向上させることのできる電話機を提供することである。また、本開示のある局面における目的は、発信元の安全度合を区別して着信を報知する機能の機能性を向上させることのできる電話機での報知方法を提供することである。また、本開示のある局面における目的は、発信元の安全度合を区別して着信を報知する機能の機能性を向上させることのできる電話機における報知プログラムを提供することである。
【課題を解決するための手段】
【００１３】
ある実施の形態に従うと、電話機は、視覚的な出力を行なうための出力部を有する。この電話機は、発信元の番号が予め登録されている番号であるか否かの区別を出力部で報知するように、出力部を制御するための出力制御手段と、着信の後に電話回線を捕捉して発信元に対して予め登録された音声メッセージを出力し、発信元からの音声を出力するための応答手段と、発信元との通話の開始を指示するユーザ操作を受け付けるための第１の操作手段とを備える。応答手段は、音声メッセージの出力の開始の後に第１の操作手段にてユーザ操作を受け付けると、音声メッセージの出力を終了する。応答手段での音声メッセージの出力の開始の後に第１の操作手段にてユーザ操作を受け付けた場合に、出力制御手段は、少なくとも第１の操作手段にてユーザ操作を受け付けるよりも後まで継続して上記区別を出力部で報知する。
【００１４】
好ましくは、出力制御手段は、第１の操作手段にてユーザ操作を受け付けると、出力部での上記区別の報知を終了する。
【００１５】
好ましくは、電話機は、それぞれが、出力部、応答手段、および第１の操作手段を有する親機と１台以上の子機とを含む。親機と子機とのそれぞれは、応答手段での音声メッセージの出力の開始を指示するユーザ操作を受け付けるための第２の操作手段をさらに含む。応答手段は、親機と子機とのうちの第２の操作手段によってユーザ操作を受け付けた装置でユーザ操作に従って音声メッセージを出力して発信元からの音声を出力する。
【００１６】
好ましくは、第２の操作手段によってユーザ操作を受け付けると、出力制御手段は、親機と子機とのうちの第２の操作手段によってユーザ操作を受け付けた装置で少なくとも第１の操作手段にてユーザ操作を受け付けるよりも後まで継続して上記区別を出力部で報知する。また、出力制御手段は、第２の操作手段によってユーザ操作を受け付けた装置以外の装置では上記区別の出力部での報知を終了する。
【００１７】
他の実施の形態に従うと、報知方法は電話機による報知の方法である。この報知方法は、発信元からの着信があると、発信元の番号が電話機に予め登録されている番号であるか否かを判断するステップと、発信元の番号が電話機に予め登録されている番号であるか否かの区別の、電話機に搭載された出力部での報知を開始するステップと、着信の後に電話回線を捕捉して発信元に対して予め登録された音声メッセージの出力を開始し、発信元からの音声を出力するステップと、音声メッセージの出力の開始の後に発信元との通話の開始を指示するユーザ操作を受け付けると、ユーザ操作を受け付けた後に区別の報知を終了するステップとを備える。
【００１８】
他の実施の形態に従うと、報知プログラムは電話機に搭載されたコンピュータに報知処理を実行させるプログラムである。このプログラムはコンピュータに、発信元からの着信があると、発信元の番号が電話機に予め登録されている番号であるか否かを判断するステップと、発信元の番号が電話機に予め登録されている番号であるか否かの区別の、電話機に搭載された出力部での報知を、電話機に開始させるステップと、着信の後に電話回線を捕捉して発信元に対して予め登録された音声メッセージの電話機からの出力を開始し、発信元からの音声を電話機から出力させるステップと、音声メッセージの出力の開始の後に発信元との通話の開始を指示するユーザ操作を受け付けると、ユーザ操作を受け付けた後に電話機による区別の報知を終了させるステップとを備える。
【発明の効果】
【００１９】
この開示によると、電話機における、発信元の安全度合を区別して着信を報知する機能の機能性を向上させることができる。
【図面の簡単な説明】
【００２０】
【図１】実施の形態にかかる電話機の外観の一例を表わした図である。
【図２】電話機に含まれる親機および子機の装置構成の一例を示すブロック図である。
【図３】第１の実施の形態にかかる電話機の動作概要を説明するための図である。
【図４】第１の実施の形態にかかる電話機の機能構成の一例を表わしたブロック図である。
【図５】第１の実施の形態にかかる電話機での着信時の動作の流れを表わしたフローチャートである。
【図６】第２の実施の形態にかかる電話機の動作概要を説明するための図である。
【図７】第２の実施の形態にかかる電話機の動作概要を説明するための図である。
【図８】第２の実施の形態にかかる電話機の機能構成の一例を表わしたブロック図である。
【図９】第２の実施の形態にかかる電話機での着信時の動作の流れを表わしたフローチャートである。
【発明を実施するための形態】
【００２１】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００２２】
［第１の実施の形態］
＜装置外観＞
図１は、本実施の形態にかかる電話機１の外観の一例を表わした図である。図１を参照して、電話機１は、一例として、親機１００と子機２００とを含む。電話機１は、親機１００のみであってもよい。
【００２３】
親機１００は、固定電話回線に接続される。子機２００は親機１００に登録されており、子機２００と親機１００とは無線通信で接続される。子機２００と親機１００との間の無線通信は、たとえば、ＤＥＣＴ（Digital  Enhanced  Cordless  Telecommunications）方式と呼ばれるデジタルコードレス電話規格に従った無線通信や、Ｂｌｕｅｔｏｏｔｈ（登録商標）などの無線通信などが該当する。
【００２４】
図１は、親機１００および子機２００を、それぞれ、ある一面（第１面）から見た概略図である。第１面を正面とする。すなわち、図１は、親機１００および子機２００それぞれを正面から見た図である。
【００２５】
親機１００の正面には、ディスプレイ１３および数字ボタンなどのボタン１６が配置される。また、親機１００の正面は受話器が載置可能に構成されている。受話器にはスピーカ１５Ａおよびマイク１４が、また、親機１００の本体にはスピーカ１５Ｂがそれぞれ配置される。スピーカ１５Ａとスピーカ１５Ｂとを総称してスピーカ１５という。
【００２６】
子機２００の正面には、ディスプレイ２３および数字ボタンなどのボタン２６が配置される。また、子機２００の正面には、スピーカ２５およびマイク２４が配置される。
【００２７】
＜装置構成＞
図２は、親機１００および子機２００の装置構成の一例を示すブロック図である。親機１００の装置構成と子機２００の装置構成とは、概ね、同じである。そこで、図２は、主に親機１００の装置構成を表わし、図２において括弧内に表わされた参照符号が子機２００の装置構成を表わしている。
【００２８】
図２を参照して、親機１００は、装置全体を制御するためのＣＰＵ（Central  Processing  Unit）１０と、ＲＯＭ（Read  Only  Memory）１１と、ＲＡＭ（Random  Access  Memory）１２とを含む。ＲＯＭ１１は、ＣＰＵ１０で実行されるプログラムや電話帳データなどを記憶する。ＲＡＭ１２は、着信履歴などを記憶する。また、ＲＡＭ１２は、ＣＰＵ１０でプログラムを実行する際の作業領域となる。
【００２９】
親機１００は、さらに、ディスプレイ１３、マイク１４、スピーカ１５、ボタン１６、およびＬＥＤ（Light  Emitting  Diode）１７を含む。ＬＥＤ１７は、ＣＰＵ１０によってそれぞれ独立して発光が制御される、少なくとも異なる２色の光源である。ＬＥＤ１７は、一例として、透過性を有するディスプレイ１３および／またはボタン１６の背面に取り付けられ、ＣＰＵ１０による制御に従ってディスプレイ１３および／またはボタン１６の色を変化させる。
【００３０】
また、親機１００は、第１通信部１８と第２通信部１９とを含む。第１通信部１８は、固定電話回線を介した通信を制御する。第２通信部１９は、子機２００との間の無線通信を制御する。
【００３１】
さらに、図２を参照して、子機２００の装置構成の一例を示すブロック図である。図３を参照して、子機２００は、装置全体を制御するためのＣＰＵ２０と、ＣＰＵ２０で実行されるプログラムや電話帳データなどを記憶するためのＲＯＭ２１と、着信履歴などを記憶したりＣＰＵ２０でプログラムを実行する際の作業領域となるＲＡＭ２２とを含む。
【００３２】
子機２００は、さらに、ディスプレイ２３、マイク２４、スピーカ２５、ボタン２６、およびＬＥＤ２７を含む。また、子機２００は、親機１００との間の無線通信を制御するための第２通信部２９を含む。
【００３３】
＜動作概要＞
図３は、第１の実施の形態にかかる電話機１の動作概要を説明するための図である。図３は、電話機１に着信があったときの、回線の状態、電話機１による応答の状態、電話機１から発声される呼出音、およびＬＥＤ１７の発光状態の時間経過に伴う変化を表わしている。図３は、横（ｘ）方向が時間の経過方向を表わしている。
【００３４】
図３を参照して、本実施の形態にかかる電話機１は、着信があると（ステップＳ１）、呼出音を発呼する。また、電話機１は、ＬＥＤ１７を発光する。これにより、ステップＳ１で、呼出音およびＬＥＤがＯＮ状態となる。
【００３５】
このとき、電話機１は、着信と共に発信元から得られた発信元の番号が電話帳などで当該電話機１に登録されているか否かを確認する。そして、電話機１は、上記ステップＳ１でＬＥＤ１７を発光する際に、発信元の番号が当該電話機１に登録されている番号であるか否かの区別に応じた色のＬＥＤを発光する。電話機１は、たとえば、当該電話機１に登録されていない番号から着信があった場合、ステップＳ１でＬＥＤ１７に含まれる赤色のＬＥＤを発光する。また、当該電話機１に登録されている番号から着信があった場合、電話機１は、たとえば緑色のＬＥＤを発光する。また、着信と共に発信元から発信元の番号が得られていない場合（非通知着信）、電話機１は、たとえば黄色のＬＥＤを発光する。したがって、ステップＳ１でのＬＥＤ１７の発光は、発信元の番号が電話機１に登録されている（緑色）か否か（赤色、黄色）の区別、すなわち、発信元の番号の安全度合の報知であると言える。
【００３６】
なお、上記の発信元の番号の安全度合の報知は、ＬＥＤ１７の発光色による報知に限定されない。他の例として、上記報知は、ＬＥＤ１７の発光パターンや、発光強度によって実現されてもよい。また、上記報知は、ＬＥＤ１７の発光を利用するものにも限定されない。たとえば、ディスプレイ１３に上記区別が文字やマークによって表示されてもよい。すなわち、上記の報知は視覚的な報知であればどのような方法であってもよい。これは、以降の第１の実施の形態の説明、また、以降の実施の形態の説明でも同様である。
【００３７】
着信から予め規定された時間が経過すると、電話機１は電話回線を捕捉して、自動応答を開始する（ステップＳ２）。これにより、ステップＳ２で回線状態および応答状態がＯＮ状態となり、呼出音がＯＦＦ状態となる。
【００３８】
自動応答とは、自動で回線を捕捉して発信元に対して名前を通知するように促す、たとえば「お名前をおっしゃって下さい」などの予め記憶されているメッセージを出力し、かつ、発信元の発声した音声をスピーカ１５から出力可能な状態とする動作を指す。好ましくは、上記ステップＳ１で発信元の番号が電話機１に登録されていないと判断された場合、および着信と共に発信元から発信元の番号が得られていない場合（非通知着信）、言い換えると、安全度合の低い番号からの着信である場合に、電話機１は自動応答を行なう。
【００３９】
電話機１は、ステップＳ２で自動応答を開始してもＬＥＤ１７の発光を終了しない。電話機１は、応答中、ステップＳ１で開始したＬＥＤ１７の発光を継続する。すなわち、ステップＳ２では、ＬＥＤの発光状態がＯＮ状態で維持される。これにより、ユーザは、自動応答を確認しつつ、さらに、視覚的に、発信元の番号の安全度合も確認しながら、通話を開始するか否かを判断することができる。なお、ステップＳ２で自動応答を開始すると、電話機１は、呼出音の出力を終了する。
【００４０】
ユーザによって、受話器を上げる、通話開始ボタン（図示しない）を押す、などの、通話開始を指示する操作（オフフック操作）が行なわれると（ステップＳ３）、電話機１は、自動応答を終了する。これにより、ステップＳ３で、自動応答がＯＦＦ状態となる。そして、電話機１は、通話可能な状態を開始する。具体的には、電話機１は、マイク１４から入力された音声を発信元に出力可能な状態とすると共に、発信元からの音声をスピーカ１５で出力可能な状態とする。
【００４１】
電話機１は、少なくともステップＳ３でユーザからオフフック操作を受け付けるよりも後まで、ステップＳ１で開始したＬＥＤ１７の発光を継続する。電話機１は、たとえば、ステップＳ３でＬＥＤ１７の発光を終了してもよい。または、図３に表わされたように、ステップＳ３よりも予め規定された期間の後にＬＥＤ１７の発光を終了してもよい。これにより、親機１００に対してオフフック操作を行なうための親機１００の近傍にいるユーザに発信元の番号の安全度合を報知できる可能性を高めることができる。
【００４２】
ユーザによって、受話器を本体に置く、通話終了ボタン（図示しない）を押す、などの、通話終了を指示する操作（オンフック操作）が行なわれると（ステップＳ４）、電話機１は、回線を開放し、通話を終了する。これにより、ステップＳ４で、回線状態がＯＦＦ状態となる。
【００４３】
＜機能構成＞
図４は、上記動作を行なうための第１の実施の形態にかかる電話機１の機能構成の一例を表わしたブロック図である。図４の各機能は、電話機１の親機１００のＣＰＵ１０がＲＯＭ１１に記憶されているプログラムをＲＡＭ１２上に読み出して実行することで、主にＣＰＵ１０で実現される。
【００４４】
図４を参照して、電話機１の親機１００のＣＰＵ１０は、発信入力部１０１と、呼出音のＯＮ／ＯＦＦを制御するための呼出音制御部１０３と、通話を制御するための通話制御部１０４と、ＬＥＤ１７のＯＮ／ＯＦＦを制御するためのＬＥＤ制御部１０５と、応答部１０６と、判断部１０７とを含む。
【００４５】
発信入力部１０１は、固定電話回線を介した他の電話機からの発信の入力を受け付ける。発信入力部１０１は、着信と共に発信元から発信元の番号の入力を受け付けるための番号発信番号入力部１０２を含む。
【００４６】
電話機１の親機１００のＲＯＭ１１には、電話番号記憶部１１１が含まれる。電話番号記憶部１１１は、電話帳や、ボタンに関連付けられた電話番号などを記憶するための記憶領域である。
【００４７】
判断部１０７は、発信元の番号が電話番号記憶部１１１に記憶されている番号であるか否かを判断する。
【００４８】
ＬＥＤ制御部１０５は、着信があった場合に、判断部１０７において発信元の番号が電話番号記憶部１１１に記憶されている番号であるか否かの区別を表わす色の光源を発光させる。たとえば、ＬＥＤ１７が赤色、黄色、および緑色の光源を含む場合、ＬＥＤ制御部１０５は、発信元の番号が電話番号記憶部１１１に記憶されている番号である場合には緑色、記憶されていない番号である場合には赤色、および番号の通知がない着信（非通知着信）の場合には黄色の光源を発光させる。
【００４９】
応答部１０６は、判断部１０７において発信元の番号が電話番号記憶部１１１に記憶されている番号でないと判断された場合、および、発信元の番号が着信の際に入力されなかった着信（非通知着信）の場合、着信の後の予め規定されたタイミングで、電話回線を捕捉して、自動応答を開始する。上記の予め規定されたタイミングは、たとえば、着信の後の数秒後、などの、予め記憶されている時間の経過の後である。
【００５０】
自動応答を開始した後に、通話開始ボタン（図示しない）が押されるなどの、ユーザからオフフック操作を受け付けた場合に、応答部１０６は自動応答を終了する。このとき、ＬＥＤ制御部１０５は、発信元の番号が電話番号記憶部１１１に記憶されている番号であるか否かの区別を表わす発光を、応答部１０６での自動応答が開始しても継続する。そして、ＬＥＤ制御部１０５は、オフフック操作がなされてから規定時間の後に、上記区別を表わす発光を終了する。好ましくは、ＬＥＤ制御部１０５は、オフフック操作がなされるまで上記区別を表わす発光を継続して、オフフック操作がなされると上記発光を終了する。
【００５１】
＜動作フロー＞
図５は、第１の実施の形態にかかる電話機１での着信時の動作の流れを表わしたフローチャートである。図５のフローチャートに表わされた動作は、電話機１のＣＰＵ１０がＲＯＭ１１に記憶されているプログラムをＲＡＭ１２上に読み出して実行し、図４の各機能を発揮することによって実現される。なお、図５のフローチャートに表わされた動作は、電話機１のＣＰＵ１０が当該電話機１に対する着信があることを検知すると開始される。
【００５２】
図５を参照して、始めに、ＣＰＵ１０は、読出音の発呼を開始する（ステップＳ１０１）。
【００５３】
ＣＰＵ１０は、着信と共に得られた発信元の番号がＲＯＭ１１に記憶されているか否かを判断する（ステップＳ１０３）。ステップＳ１０３の判断の結果、発信元の番号がＲＯＭ１１に記憶されているものでない場合、または、発信元から電話番号が得られていない場合（非通知着信）（ステップＳ１０３でＮＯ）、ＣＰＵ１０は、発信元の番号がＲＯＭ１１に記憶されているものでない場合、または、発信元から電話番号が得られていない場合（非通知着信）の区別に予め関連付けられた色（たとえば、赤色、黄色）の光源を発光する（ステップＳ１０５）。
【００５４】
発信元の番号がＲＯＭ１１に記憶されているものである場合には（ステップＳ１０３でＹＥＳ）、ＣＰＵ１０は、発信元の番号がＲＯＭ１１に記憶されているものである場合の区別に予め関連付けられた色（たとえば緑色）の光源を発光する（ステップＳ１０７）。
【００５５】
発信元の番号がＲＯＭ１１に記憶されているものでない場合、または、発信元から電話番号が得られていない場合（非通知着信）（ステップＳ１０３でＮＯ）、さらに、ＣＰＵ１０は、着信から規定された期間の後の自動応答のタイミングに達すると（ステップＳ１０９でＹＥＳ）、自動応答を開始する（ステップＳ１１１）。
【００５６】
着信の後にオフフック操作がなされたことを検出すると（ステップＳ１１３でＹＥＳ）、ＣＰＵ１０は、通話を開始する処理を実行する（ステップＳ１１５）。そして、ＣＰＵ１０は、オフフック操作から規定時間の後に、上記ステップＳ１０５またはステップＳ１０７で開始した発光を終了する（ステップＳ１１７）。好ましくは、ＣＰＵ１０は、オフフック操作がなされたことを検出すると上記発光を終了する。
【００５７】
ＣＰＵ１０は、オンフック操作がなされるまで（ステップＳ１１９でＮＯ）、上記ステップＳ１１５で開始した通話状態を継続する。そして、オンフック操作がなされると（ステップＳ１１９でＹＥＳ）、ＣＰＵ１０は、通話を終了する処理を行なう（ステップＳ１２１）。
【００５８】
＜実施の形態の効果＞
第１の実施の形態にかかる電話機１は以上の動作を行なうことで、発信元の番号が当該電話機１に登録されていない番号であるか否か、または発信元の番号が非通知であるか否かの区別、つまり発信元の電話番号の安心度合いを区別して報知する。そして、電話機１は、上記報知を、少なくともユーザがオフフック操作を行なうまで継続する。
【００５９】
これにより、ユーザは、自動応答が開始した後も発信元の番号の安全度合を視覚的に確認しながらオフフック操作を行なうか否かを判断することができる。そのため、本実施の形態にかかる電話機１は、自動応答の開始によって上記報知が終了する場合と比較して、安全度合の低い発信元からの着信に対して安全度合が低いことを認識せずにオフフック操作をしてしまうという事態を効果的に抑えることができる。
【００６０】
［第２の実施の形態］
第１の実施の形態では、着信から予め規定された時間の経過の後に、自動的に発信元に対してメッセージが出力されるものとしている（自動応答）。しかしながら、発信元に対するメッセージの出力は、ユーザ操作に従って行なわれるものであってもよい（手動応答）。手動応答の場合、ユーザ操作が親機１００に対してなされる場合と子機２００に対してなされる場合とがある。さらに、電話機１に子機２００が複数含まれている場合、複数の子機２００のうちのいずれか１つの子機２００に対して上記ユーザ操作がなされる場合もある。
【００６１】
そこで、第２の実施の形態として、手動応答が行なわれる場合について説明する。
＜動作概要＞
図６および図７は、それぞれ、第２の実施の形態にかかる電話機１の動作概要を説明するための図である。図６および図７は、いずれも、電話機１に着信があったときの、親機１００および子機２００それぞれの回線の状態、電話機１による応答の状態、電話機１から発声される呼出音、およびＬＥＤ１７の発光状態の時間経過に伴う変化を表わしている。図６は、親機１００に対して手動応答を指示するユーザ操作が行なわれた場合の各装置の動作概要を表わしている。図７は、子機２００に対して手動応答を指示するユーザ操作が行なわれた場合の各装置の動作概要を表わしている。
【００６２】
図６を参照して、着信があると（ステップＳ１１）、親機１００および子機２００共に着信音を発呼する。また、親機１００および子機２００は、それぞれ、ＬＥＤ１７およびＬＥＤ２７を発光する。これは、一例として、電話回線を介いて着信を検出した親機１００のＣＰＵ１０が、子機２００に対して着信を通知し、ＣＰＵ２０が着信音の発呼およびＬＥＤ２７の発光を制御することによって実現される。
【００６３】
着信があると、親機１００のＣＰＵ１０は、着信と共に発信元から得られた発信元の番号が、電話帳などで当該電話機１に登録されているか否かを確認する。そして、ＣＰＵ１０は、親機１００および子機２００とも、発信元の番号が当該電話機１に登録されている番号であるか否かの区別に応じた色のＬＥＤを発光させる。
【００６４】
親機１００に対して手動応答を指示するユーザ操作が行なわれると（ステップＳ１２）、親機１００にて手動応答が開始される。このとき、親機１００および子機２００とも、呼出音の発呼を終了する。
【００６５】
親機１００は、ステップＳ１２で手動応答を開始すると、応答中、ステップＳ１１で開始したＬＥＤ１７の発光を継続する。すなわち、ステップＳ１２で親機１００では、ＬＥＤの発光状態がＯＮ状態で維持される。一方、子機２００は、ステップＳ１２で親機１００が手動応答を開始すると、ステップＳ１１で開始したＬＥＤ２７の発光を終了する。これにより、親機１００で自動応答の開始を指示する操作を行なったユーザは、当該親機１００での応答を確認しつつ、さらに、当該親機１００で、視覚的に発信元の番号の安全度合も確認しながら、通話を開始するか否かを判断することができる。一方で、ユーザが使用していない子機２００では、ＬＥＤ２７の発光が終了する。
【００６６】
以降は、第１の実施の形態にかかる電話機１での動作と同じである。すなわち、親機１００は、ユーザによるオフフック操作を受け付けると（ステップＳ１３）、手動応答を終了する。そして、親機１００は、通話可能な状態を開始する。このとき、親機１００は、少なくともステップＳ１３でユーザからオフフックを指示する操作を受け付けるよりも後までステップＳ１１で開始したＬＥＤ１７の発光を継続し、その後にＬＥＤ１７の発光を終了する。親機１００は、オンフック操作を受け付けると（ステップＳ１４）、回線を開放し、通話を終了する。
【００６７】
また、図７を参照して、ステップＳ１１での着信の後、子機２００に対して手動応答を指示するユーザ操作が行なわれると（ステップＳ１２’）、子機２００にて手動応答が開始される。電話機１に子機２００が複数含まれる場合には、複数の子機２００のうちの該ユーザ操作が行なわれた子機２００にて手動応答が開始される。このとき、親機１００および子機２００とも、呼出音の発呼を終了する。
【００６８】
ステップＳ１２’で手動応答を開始した子機２００は、応答中、ステップＳ１１で開始したＬＥＤ２７の発光を継続する。すなわち、ステップＳ１２’で子機２００では、ＬＥＤの発光状態がＯＮ状態で維持される。一方、親機１００は、ステップＳ１２’で子機２００が手動応答を開始すると、ステップＳ１１で開始したＬＥＤ１７の発光を終了する。電話機１に子機２００が複数含まれる場合には、上記ユーザ操作の行なわれていない子機２００でも、ステップＳ１１で開始したＬＥＤ２７の発光を終了する。これにより、子機２００で自動応答の開始を指示する操作を行なったユーザは、当該子機２００での応答を確認しつつ、さらに、当該子機２００で、視覚的に発信元の番号の安全度合も確認しながら、通話を開始するか否かを判断することができる。一方で、ユーザが使用していない親機１００（および他の子機２００）では、ＬＥＤの発光が終了する。
【００６９】
＜機能構成＞
図８は、上記動作を行なうための第２の実施の形態にかかる電話機１の機能構成の一例を表わしたブロック図である。図８の各機能は、電話機１の親機１００のＣＰＵ１０がＲＯＭ１１に記憶されているプログラムをＲＡＭ１２上に読み出して実行することで、主にＣＰＵ１０で実現される。
【００７０】
図８を参照して、第２の実施の形態にかかる電話機１の親機１００のＣＰＵ１０は、図４に表わされた第１の実施の形態にかかる電話機１の機能と概ね同じ機能を含む。
【００７１】
第２の実施の形態において、ＬＥＤ制御部１０５は、着信があると、ＬＥＤ１７のうちの、判断部１０７で判断された発信元の番号の安全度合の区別に応じた色の光源を発光させる。さらに、ＬＥＤ制御部１０５は、第２通信部１９を介して子機２００に対して、判断部１０７で判断された発信元の番号の安全度合の区別を表わす発光を指示する。
【００７２】
また、第２の実施の形態において、応答部１０６は、ボタン１６からの操作信号の入力によって手動応答の開始を指示するユーザ操作を受け付けると、親機１００での手動応答を開始する。子機２００に対して上記ユーザ操作がなされた場合、応答部１０６は、第２通信部１９を介して子機２００から上記ユーザ操作がなされたことの通知を受け取る。この場合、応答部１０６は、親機１００での手動応答を行なうことなく、第２通信部１９を介して子機２００に対して手動応答の開始を指示する。
【００７３】
ＬＥＤ制御部１０５は、手動応答の開始を指示するユーザ操作を受け付けると、該操作がなされていない装置における上記発光を終了する。すなわち、親機１００に対する該ユーザ操作を受け付けた場合、第２の実施の形態において、ＬＥＤ制御部１０５は、第２通信部１９を介して子機２００に対して上記発光の終了を指示する。子機２００で上記ユーザ操作を受け付けた場合、ＬＥＤ制御部１０５は、第２通信部１９を介して子機２００から上記ユーザ操作がなされたことの通知を受け取る。この場合、ＬＥＤ制御部１０５は、ＬＥＤ１７での上記発光を終了する。電話機１に子機２００が複数含まれる場合、ＬＥＤ制御部１０５は、上記ユーザ操作を受け付けていない子機２００に対して第２通信部１９を介して上記発光の終了を指示する。
【００７４】
オフフック操作を受け付けると、応答部１０６は、手動応答を終了する。すなわち、親機１００にて手動応答を行なっている場合、応答部１０６は、その応答を終了する。子機２００にて手動応答を行なっている場合、応答部１０６は、第２通信部１９を介して当該子機２００に対して手動応答の終了を指示する。
【００７５】
オフフック操作を受け付けると、ＬＥＤ制御部１０５は、オフフック操作がなされてから規定時間の後に、上記発光を終了する。
【００７６】
＜動作フロー＞
図９は、第２の実施の形態にかかる電話機１での着信時の動作の流れを表わしたフローチャートである。図９のフローチャートに表わされた動作は、電話機１のＣＰＵ１０がＲＯＭ１１に記憶されているプログラムをＲＡＭ１２上に読み出して実行し、図８の各機能を発揮することによって実現される。なお、図９のフローチャートに表わされた動作は、電話機１のＣＰＵ１０が当該電話機１に対する着信があることを検知すると開始される。図９において、第１の実施の形態にかかる電話機１と同じ動作については同じステップ番号が付されている。そこで、同じ動作については説明を繰り返さない。
【００７７】
図９を参照して、第２の実施の形態にかかる電話機１は、応答のタイミングとして、手動応答の開始を指示するユーザ操作の入力を受け付ける。該ユーザ操作の入力を受け付けると（ステップＳ１０９’でＹＥＳ）、ＣＰＵ１０は、親機１００および子機２００のうち、該ユーザ操作のなされた装置において手動応答を開始する（ステップＳ１１１’）。また、ＣＰＵ１０は、上記ユーザ操作のなされていない装置での、ステップＳ１０５またはステップＳ１０７で開始した発光を終了する（ステップＳ１１２）。これにより、上記ユーザ操作のなされた装置での発光が継続される。
【００７８】
ＣＰＵ１０は、ユーザからのオフフック操作を受け付けて（ステップＳ１１３でＹＥＳ）、該操作を受け付けた装置での通話を開始すると（ステップＳ１１５）、オフフック操作から規定時間の後に、上記ステップＳ１０５またはステップＳ１０７で開始し、ステップＳ１１２で終了していない発光を、終了する（ステップＳ１１７’）。好ましくは、ＣＰＵ１０は、オフフック操作がなされたことを検出すると上記発光を終了する。
【００７９】
以降、ＣＰＵ１０は、第１の実施の形態で説明された動作と同じ動作を行なう。
＜実施の形態の効果＞
第２の実施の形態にかかる電話機１は以上の動作を行なうことで、ユーザによって手動応答を指示する操作が行なわれた装置で、当該操作によって手動応答が開始した後も、発信元の番号が当該電話機に登録されている番号であるか否かの区別、つまり、発信元の番号の安全度合の報知を継続する。一方で、第２の実施の形態にかかる電話機１は、該操作がなされていない装置での上記報知は終了する。
【００８０】
これにより、本実施の形態にかかる電話機１は、操作を行なったユーザに発信元の番号の安全度合を報知する可能性を高めつつ、該ユーザが利用していない装置での不要な報知を抑えることができる。
【００８１】
［第３の実施の形態］
第１の実施の形態では、電話機１による応答が自動応答であるものとしている。第２の実施の形態では、電話機１による応答がユーザ操作によって開始される手動応答であるものとしている。他の例として、自動応答と手動応答とが組み合わされてもよい。すなわち、第３の実施の形態にかかる電話機１は、着信から所定時間の後に、自動応答を開始する。そして、第３の実施の形態にかかる電話機１は、応答中に、さらに応答を指示するユーザ操作を受け付けると、該操作が行なわれた装置において応答を繰り返す（手動応答）。
【００８２】
第３の実施の形態にかかる電話機１は、最初の１回の応答である自動応答時、発信元の番号の安全度合を表わす発光を継続する。２回目以降の応答である手動応答時、電話機１は、該手動応答を指示するユーザ操作が行なわれた装置においては上記発光を継続し、他の装置では上記発光を終了する。
【００８３】
第３の実施の形態にかかる電話機１でも、操作を行なったユーザに発信元の番号の安全度合を報知する可能性を高めつつ、該ユーザが操作していない装置での不要な報知を抑えることができる。
【００８４】
［第４の実施の形態］
さらに、電話機１に搭載されたコンピュータに、上述の電話機１における報知処理を実行させるプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８５】
なお、本開示にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本開示にかかるプログラムに含まれ得る。
【００８６】
また、本開示にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本開示にかかるプログラムに含まれ得る。
【００８７】
提供されるプログラム製品は、ハードディスクなどのプログラム格納部にインストールされて実行される。なお、プログラム製品は、プログラム自体と、プログラムが記録された記録媒体とを含む。
【００８８】
［まとめ］
本発明の局面は、次のように表わすことができる。
【００８９】
（１）視覚的な出力を行なうための出力部（ＬＥＤ１７，２７、ディスプレイ１３，２３）を有する電話機（電話機１）であって、発信元の番号が予め登録されている番号であるか否かの区別を出力部で報知するように、出力部を制御するための出力制御手段（ＬＥＤ制御部１０５）と、着信の後に電話回線を捕捉して発信元に対して予め登録された音声メッセージを出力し、発信元からの音声を出力する（自動応答、手動応答）ための応答手段（応答部１０６）と、発信元との通話の開始を指示するユーザ操作（オフフック操作）を受け付けるための第１の操作手段（ボタン１６）とを備え、応答手段は、音声メッセージの出力の開始の後に第１の操作手段にてユーザ操作を受け付けると、音声メッセージの出力を終了し、応答手段での音声メッセージの出力の開始の後に第１の操作手段にてユーザ操作を受け付けた場合に、出力制御手段は、少なくとも第１の操作手段にてユーザ操作を受け付けるよりも後まで継続して上記区別を出力部で報知する、電話機。
【００９０】
（２）出力制御手段は、第１の操作手段にてユーザ操作を受け付けると、出力部での上記区別の報知を終了する、（１）に記載の電話機。
【００９１】
（３）それぞれが、出力部、応答手段、および第１の操作手段を有する親機（親機１００）と１台以上の子機（子機２００）とを含み、親機と子機とのそれぞれは、応答手段での音声メッセージの出力（手動応答）の開始を指示するユーザ操作を受け付けるための第２の操作手段（ボタン１６，２６）をさらに含み、応答手段は、親機と子機とのうちの第２の操作手段によってユーザ操作を受け付けた装置でユーザ操作に従って音声メッセージを出力して発信元からの音声を出力する、（１）または（２）に記載の電話機。
【００９２】
（４）第２の操作手段によってユーザ操作を受け付けると、出力制御手段は、親機と子機とのうちの第２の操作手段によってユーザ操作を受け付けた装置で少なくとも第１の操作手段にてユーザ操作を受け付けるよりも後まで継続して上記区別を出力部で報知し、第２の操作手段によってユーザ操作を受け付けた装置以外の装置では上記区別の出力部での報知を終了する、（３）に記載の電話機。
【００９３】
（５）電話機による報知の方法であって、発信元からの着信があると、発信元の番号が電話機に予め登録されている番号であるか否かを判断するステップ（Ｓ１０３）と、発信元の番号が電話機に予め登録されている番号であるか否かの区別の、電話機に搭載された出力部での報知を開始するステップ（Ｓ１０５，Ｓ１０７）と、着信の後に電話回線を捕捉して発信元に対して予め登録された音声メッセージの出力を開始し、発信元からの音声を出力するステップ（Ｓ１１１）と、音声メッセージの出力の開始の後に発信元との通話の開始を指示するユーザ操作を受け付けると（Ｓ１１３）、ユーザ操作を受け付けた後に区別の報知を終了するステップ（Ｓ１１７）とを備える、報知方法。
【００９４】
（６）電話機に搭載されたコンピュータに報知処理を実行させるプログラムであって、プログラムはコンピュータに、発信元からの着信があると、発信元の番号が電話機に予め登録されている番号であるか否かを判断するステップ（Ｓ１０３）と、発信元の番号が電話機に予め登録されている番号であるか否かの区別の、電話機に搭載された出力部での報知を、電話機に開始させるステップ（Ｓ１０５，Ｓ１０７）と、着信の後に電話回線を捕捉して発信元に対して予め登録された音声メッセージの電話機からの出力を開始し、発信元からの音声を電話機から出力させるステップ（Ｓ１１１）と、音声メッセージの出力の開始の後に発信元との通話の開始を指示するユーザ操作を受け付けると（Ｓ１１３）、ユーザ操作を受け付けた後に電話機による区別の報知を終了させるステップ（Ｓ１１７）とを備える、報知プログラム。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９６】
１  電話機、１０，２０  ＣＰＵ、１１，２１  ＲＯＭ、１２，２２  ＲＡＭ、１３，２３  ディスプレイ、１４，２４  マイク、１５，１５Ａ，１５Ｂ，２５  スピーカ、１６，２６  ボタン、１８  第１通信部、１９，２９  第２通信部、１００  親機、１０１  発信入力部、１０２  番号発信番号入力部、１０３  呼出音制御部、１０４  通話制御部、１０５  ＬＥＤ制御部、１０６  応答部、１０７  判断部、１１１  電話番号記憶部、２００  子機。
【図１】
0006465657.tif 000002
【図２】
0006465657.tif 000003
【図３】
0006465657.tif 000004
【図４】
0006465657.tif 000005
【図５】
0006465657.tif 000006
【図６】
0006465657.tif 000007
【図７】
0006465657.tif 000008
【図８】
0006465657.tif 000009
【図９】
0006465657.tif 000010